(57)【要約】【課題】２つの通信システムを切り替えて通信を行うハイブリッド方式の無線通信端末における、無線通信端末及び制御方法の改善に関する。【解決手段】第１の通信方式と第２の通信方式とを使用して各々の通信方式において基地局１００と無線通信を行うと共に両方式で待受け可能な無線通信端末において、前記第１の通信方式が基地局１００との通信を終了してから連続して前記第１の通信方式で基地局１００からの着信を待受ける待機時間を設定する設定手段と、基地局１００との通信の終了原因を判別する判別手段と、を備え、前記設定手段は、前記判別手段が判別した通信の終了原因に基づいて、前記待機時間を設定する。【選択図】図１
2006320031.tif 000002
【特許請求の範囲】
【請求項１】
第１の通信方式と第２の通信方式とを使用して各々の通信方式において基地局と無線通信を行うと共に両方式で待受け可能な無線通信端末において、
前記第１の通信方式が前記基地局との通信を終了してから連続して前記第１の通信方式で前記基地局からの着信を待受ける待機時間を設定する設定手段と、
前記基地局との通信の終了原因を判別する判別手段と、を備え、
前記設定手段は、前記判別手段が判別した通信の終了原因に基づいて、前記待機時間を設定することを特徴とする無線通信端末。
【請求項２】
前記通信の終了原因が無線断以外の場合、前記設定手段は前記待機時間を設定しないことを特徴とする請求項１記載の無線通信端末。
【請求項３】
第１の通信方式と第２の通信方式とを使用して各々の通信方式において基地局と無線通信を行うと共に両方式で待受け可能な無線通信端末において、
前記第１の通信方式が前記基地局との通信を終了してから連続して前記第１の通信方式で前記基地局からの着信を待受ける待機時間を設定する設定手段と、
前記第２の通信方式の待受けタイミングを変更する第１の変更手段と、
前記第１の変更手段により前記第２の通信方式の待受けタイミングが変更された際に、前記第１の通信方式の待受けタイミングを前記基地局と通信して変更する第２の変更手段と、を備え、
前記設定手段は、前記第２の変更手段により前記基地局と通信した場合は前記待機時間を設定しないことを特徴とする無線通信端末。
【請求項４】
前記第１の通信方式は１ｘＥＶＤＯシステムであり、前記第２の通信方式はｃｄｍａ２０００  １ｘシステムであることを特徴とする請求項１乃至３に記載の無線通信端末。
【請求項５】
第１の通信方式と第２の通信方式とを使用して各々の通信方式において基地局と無線通信を行うと共に両方式で待受け可能な無線通信端末制御方法において、  前記第１の通信方式において前記基地局との通信の終了原因を判別し、該判別した通信の終了原因に基づいて、前記第１の通信方式が前記基地局との通信を終了してから連続して前記第１の通信方式で前記基地局からの着信を待受ける待機時間を設定することを特徴とする無線通信端末制御方法。
【請求項６】
前記通信の終了原因が無線断以外の場合、前記待機時間を設定しないことを特徴とする請求項５に記載の無線通信端末制御方法。
【請求項７】
第１の通信方式と第２の通信方式とを使用して各々の通信方式において基地局と無線通信を行うと共に両方式で待受け可能な無線通信端末の無線通信端末の制御方法において、
前記第２の通信方式の待受けタイミングの変更に基づいて、前記第１の通信方式の待受けタイミングを前記基地局と通信して変更された場合は、前記基地局との通信を終了してから連続して前記第１の通信方式で前記基地局からの着信を待受ける待機時間を設定しないことを特徴とする無線通信端末制御方法。
【請求項８】
前記第１の通信方式は１ｘＥＶＤＯシステムであり、前記第２の通信方式はｃｄｍａ２０００  １ｘシステムであることを特徴とする請求項５乃至７に記載の無線通信端末制御方法。
【発明の詳細な説明】
【技術分野】
【０００１】
２つの通信システムを切り替えて通信を行うハイブリッド方式の無線通信端末における、無線通信端末及び制御方法に関する。
【背景技術】
【０００２】
２つの通信システムを切り替えて基地局と通信を行うことのできるデュアル方式の無線通信端末が知られている。
【特許文献１】特開平９−１７２６７５号公報
【発明の開示】
【発明が解決しようとする課題】
【０００３】
上述したデュアル方式の無線通信端末において、一方の通信方式を使った通信中に他方の通信方式の無線通信状態を測定し、着信の監視を行うことができるものを、特にハイブリッド方式と呼ぶ。
【０００４】
このハイブリッド方式の無線通信端末において、特に音声通信が主体のｃｄｍａ２０００  １ｘシステムと、データ通信専用の１ｘＥＶＤＯシステムとのハイブリッド方式の無線通信端末は、それぞれのシステムを同時に待ち受け可能にするために、アンテナと無線部とを所定の間隔で各々のシステムに切り替え、それぞれのシステムにおける電波状況や基地局からの着信を監視している。このシステム監視の間隔はそれぞれのシステムにおいて規定されており、無線通信端末はｃｄｍａ２０００  １ｘシステムの監視間隔と１ｘＥＶＤＯシステムの監視間隔とが重ならないように基地局との間でタイミング調整を行っている（図２参照）。このとき、一方のシステムにおいてシステム監視を行っているときは、アンテナ及び無線部を占有するので他方のシステムの監視ができない。
【０００５】
ここで、ｃｄｍａ２０００  １ｘシステム側で電波状態の悪化によるアイドルハンドオフ（待受状態でのハンドオフ）が発生し監視対象の基地局が変わると、システム監視のタイミングが変わってしまうことがある。この場合、無線通信端末は２つのシステムの監視タイミングが重ならないように１ｘＥＶＤＯシステム側の監視のタイミング変更が必要になる。このとき１ｘＥＶＤＯシステムでは監視タイミングの変更のために基地局と通信を行うのでアンテナ及び無線部は１ｘＥＶＤＯシステムに占有されてしまう。ところで、１ｘＥＶＤＯシステムは、通信中に瞬間的な電波断による切断が発生することを考慮し、基地局との通信処理終了後の一定時間は、基地局からの着信信号か受信可能な測定状態で待機する。
【０００６】
そのため、通信終了から一定期間はアンテナ及び無線部が１ｘＥＶＤＯシステムに占有されてしまう。よって、ｃｄｍａ２０００  １ｘシステムは、１ｘＥＶＤＯシステムがシステム監視タイミングの変更の処理を行っている間とその後の一定期間は着信があっても検出することができない。特にｃｄｍａ２０００  １ｘシステムが頻繁にアイドルハンドオフを繰り返すような、複数の基地局からの信号が拮抗する状態となる領域にある場合は、上記のｃｄｍａ２０００  １ｘのアイドルハンドオフ後の１ｘＥＶＤＯシステム側の監視タイミング変更処理も頻繁に発生するためｃｄｍａ２０００  １ｘの着信率が極端に低下してしまう。
【０００７】
本発明は上記の問題点に鑑みてなされたものであり、ｃｄｍａ２０００  １ｘシステムと１ｘＥＶＤＯシステムと２つのシステムを切り替えて基地局と通信を行うハイブリッド端末において、ｃｄｍａ２０００  １ｘの着信率の悪化を防ぐ無線通信端末を提供することを目的とする。
【課題を解決するための手段】
【０００８】
第１の発明は、第１の通信方式と第２の通信方式とを使用して各々の通信方式において基地局と無線通信を行うと共に両方式で待受け可能な無線通信端末において、前記第１の通信方式が前記基地局との通信を終了してから連続して前記第１の通信方式で前記基地局からの着信を待受ける待機時間を設定する設定手段と、前記基地局との通信の終了原因を判別する判別手段と、を備え、前記設定手段は、前記判別手段が判別した通信の終了原因に基づいて、前記待機時間を変更することを特徴とする。
【０００９】
第２の発明は、第１の発明において、前記通信の終了原因が無線断以外の場合、前記設定手段は前記待機時間を設定しないことを特徴とする。
【００１０】
第３の発明は、第１の通信方式と第２の通信方式とを使用して各々の通信方式において基地局と無線通信を行うと共に両方式で待受け可能な無線通信端末において、前記第１の通信方式が前記基地局との通信を終了してから連続して前記第１の通信方式で前記基地局からの着信を待受ける待機時間を設定する設定手段と、前記第２の通信方式の待受けタイミングを変更する第１の変更手段と、前記第１の変更手段により前記第２の通信方式の待受けタイミングが変更された際に、前記第１の通信方式の待受けタイミングを前記基地局と通信して変更する第２の変更手段と、を備え、前記設定手段は、前記第２の変更手段により前記基地局と通信した場合は前記待機時間を設定しないことを特徴とする無線通信端末。
【００１１】
第４の発明は、第１から３の発明において、前記第１の通信方式は１ｘＥＶＤＯシステムであり、前記第２の通信方式はｃｄｍａ２０００  １ｘシステムであることを特徴とする。
【００１２】
第５の発明は、第１の通信方式と第２の通信方式とを使用して各々の通信方式において基地局と無線通信を行うと共に両方式で待受け可能な無線通信端末制御方法において、前記第１の通信方式において前記基地局との通信の終了原因を判別し、該判別した通信の終了原因に基づいて、前記第１の通信方式が前記基地局との通信を終了してから連続して前記第１の通信方式で前記基地局からの着信を待受ける待機時間を設定することを特徴とする。
【００１３】
第６の発明は、第５の発明において、前記通信の終了原因が無線断以外の場合、前記待機時間を設定しないことを特徴とする。
【００１４】
第７の発明は、第１の通信方式と第２の通信方式とを使用して各々の通信方式において基地局と無線通信を行うと共に両方式で待受け可能な無線通信端末制御方法において、前記第２の通信方式の待ち受けタイミングの変更に基づいて、前記第１の通信方式の待受けタイミングを前記基地局と通信して変更された場合は、前記基地局との通信を終了してから連続して前記第１の通信方式で前記基地局からの着信を待受ける待機時間を設定しないことを特徴とする。
【００１５】
第８の発明は、第５から７の発明において、前記第１の通信方式は１ｘＥＶＤＯシステムであり、前記第２の通信方式はｃｄｍａ２０００  １ｘシステムであることを特徴とする。
【発明の効果】
【００１６】
本発明によると、基地局との通信の終了原因を判別する判別手段と、前記終了原因に基づいて、基地局からの着信を連続して待ち受ける待機時間を設定するか否かを決定する待機状態設定手段と、を備えたので、基地局との通信の終了原因によって待機時間を適宜設定でき、データ通信のスループットを向上できると共に、着信率の低下を改善できる。
【００１７】
特に、終了原因が正しい処理手順によるものであるときは待機時間を設定しないので着信率を向上でき、終了原因が予期しないものである場合には待機時間を設定するのでデータ通信のスループットを向上できる。
【発明を実施するための最良の形態】
【００１８】
以下に、本発明の実施の形態を図面を参照して説明する。
【００１９】
図１は、本発明の実施の形態の無線通信端末の構成を表したブロック図である。
【００２０】
本実施の形態の無線通信端末は、ｃｄｍａ２０００  １ｘ方式の通信システムと１ｘＥＶＤＯ（１ｘ  Ｅｖｏｌｕｔｉｏｎ  Ｄａｔａ  Ｏｎｌｙ）方式の通信システムとを選択的に切り替えて各々のシステムにおいて基地局１００Ａと基地局１００Ｂとの間をハンドオフを行って移動しながら通信をすることのできる無線通信端末である。
【００２１】
アンテナ１０は無線部２０からの高周波信号を電波に変換し基地局１００Ａ、１００Ｂに送信し、また、基地局１００Ａ、１００Ｂからの電波を受信して無線部２０に高周波信号として送る。
【００２２】
無線部２０は、アンテナ１０から送られた高周波信号をベースバンド信号に変換し切替部３０を経由して、無線処理部４０、５０に送り、また、無線処理部４０、５０から切替部３０を経由して送られたベースバンド信号を高周波信号に変換しアンテナ１０へ送る。
【００２３】
切替部３０は、１ｘＥＶＤＯ無線処理部４０又はｃｄｍａ２０００  １ｘ無線処理部５０からのベースバンド信号を選択的に無線部２０に送り、また無線部２０からのベースバンド信号を選択的に１ｘＥＶＤＯ無線処理部４０又はｃｄｍａ２０００  １ｘ無線処理部５０に送る。
【００２４】
１ｘＥＶＤＯ無線処理部４０は、１ｘＥＶＤＯ形式で送信されたデータ信号をベースバンド信号に変換し、切替部３０を経由して無線部２０に送る。また、無線部２０から切替部３０を経由して送られてきたベースバンド信号を１ｘＥＶＤＯ形式のデータ信号に変換する。
【００２５】
ｃｄｍａ２０００  １ｘ無線処理部５０は、１ｘＥＶＤＯ無線処理部４０と同様に、ｃｄｍａ２０００  １ｘ形式で送信されたデータ又は音声信号をベースバンド信号に変換し、切替部３０を経由して無線部２０に送る。また、無線部２０から切替部３０を経由して送られてきたベースバンド信号をｃｄｍａ２０００  １ｘ形式のデータ又は音声信号に変換する。
【００２６】
ハイブリッド部６０は、１ｘＥＶＤＯ及びｃｄｍａ２０００  １ｘの２つの通信システムを選択的に切り替えて２つの通信システムを制御する制御部であり、切替部３０、１ｘＥＶＤＯ無線処理部４０及びｃｄｍａ２０００  １ｘ無線処理部５０にそれぞれ接続され各々の切り替えを制御する。特に、待受中は、所定の時間間隔で２つの通信システムを選択的に切り替えて、両通信システムにおいて呼び出しを待ち受ける。またこのハイブリッド部６０にはメモリ７０、表示部８０、外部Ｉ／Ｏ９０が接続されている。
【００２７】
メモリ７０は、無線通信端末の制御用プログラムや通信データ等を要求に応じて書き込み又は読み出しを行うことのできる記憶部である。
【００２８】
表示部８０は、主にＬＣＤディスプレイ等によって構成され、無線通信端末の状態や通信データの表示等を行う表示部である。
【００２９】
外部Ｉ／Ｏ９０は、無線通信端末を他のパソコンやＰＤＡ等の外部機器に接続し、各種データの送受信を行うことのできるインターフェイスである。
【００３０】
次に、以上のように構成された本発明の実施の形態の無線通信端末の動作を説明する。
【００３１】
ｃｄｍａ２０００  １ｘシステム及び１ｘＥＶＤＯシステムは、電波状態の測定及び着信監視のため、一定の間隔でシステムを監視するよう求められている。この間隔は例えば５.１２秒毎である。
【００３２】
無線通信端末は同時に２つのシステムに対して通信を行うことができないので、それぞれのシステムに対し５.１２秒間隔の監視が行えるようアンテナ１０及び無線部２０を切り替える。
【００３３】
図２にこの監視タイミングのタイムチャートを示す。まずｃｄｍａ２０００  １ｘシステムの監視タイミングとなるとアンテナ１０と無線部２０をｃｄｍａ２０００  １ｘに切り替え、システム監視状態（Ａｃｔｉｖｅ）に移行し、基地局の電波状態及び着信の監視を行う。ｃｄｍａ２０００  １ｘシステムの監視処理が終了するとアンテナ１０と無線部２０を解放し、ｃｄｍａ２０００  １ｘシステムは休止状態（Ｓｌｅｅｐ）に移行する。
【００３４】
それから、１ｘＥＶＤＯシステムの監視タイミングとなるとアンテナ１０と無線部２０を１ｘＥＶＤＯに切り替えがＡｃｔｉｖｅ状態に移行し、基地局の電波状態及び着信の監視を行う。１ｘＥＶＤＯシステムの監視処理が終了するとアンテナ１０と無線部２０を解放し、１ｘＥＶＤＯシステムはＳｌｅｅｐ状態に移行する。
【００３５】
次に、１ｘＥＶＤＯシステムでは、電波状態などによって通信断が発生した場合に、直ちに通信を再開できるような仕組みを持っている。これは、無線通信端末が電波状態による通信断を検出すると、基地局に対し通信切断メッセージ（ＣｏｎｎｅｃｔｉｏｎＣｌｏｓｅ  Ｍｅｓｓａｇｅ）を送信し、その後一定時間は基地局からの再接続を指示する着信メッセージ（Ｐａｇｅ  Ｍｅｓｓａｇｅ）が受信できるよう連続受信状態に待機するものである。この通信断後の連続待ち受け時間のことをガードタイム（ｓｕｓｐｅｎｄｅｄ  ｔｉｍｅ）と呼ぶ。この一定時間経過後、無線通信端末は省電力のため、Ｓｌｅｅｐ状態に移行し、その後は一定の間隔でシステムの監視を行うことになる。
【００３６】
無線通信端末は、この連続受信状態の間に基地局からの着信メッセージが受信できると、即座に通信を再開することができるが、一旦Ｓｌｅｅｐ状態に移行してしまうと、一定の間隔でのみシステム監視を行うため、再接続に時間がかかることになる。
【００３７】
図３に、１ｘＥＶＤＯシステムにおけるガードタイムを用いた通信のタイムチャートを示す。
【００３８】
１ｘＥＶＤＯがデータ通信を行っている状態（Ｃｏｍｍ）において、電波の突然の切断等によって基地局との通信が切断すると、通信切断メッセージを基地局に対して送信する。その後、基地局からの信号を受信する連続受信状態（Ｉｄｌｅ）に移行し、ガードタイムが経過するとＳｌｅｅｐ状態に移行する（図３（ａ））。
【００３９】
図３（ｂ）は通信の切断を検出し、通信切断メッセージを送信した後ガードタイムが経過するまでの間に基地局からの着信メッセージを受信したときのタイムチャートである。ガードタイム経過前に電波状態が回復すると、１ｘＥＶＤＯはＩｄｌｅ状態で連続受信中なので直ちに基地局からの着信メッセージを受信することができ、データ通信を再開できる。
【００４０】
図３（ｃ）はガードタイムを設定していない（すなわちＳｕｓｐｅｎｄＴｉｍｅ＝０）場合のタイムチャートである。通信の切断を検出し、通信切断メッセージを送信してすぐにＳｌｅｅｐ状態に移行すると、すぐに基地局からの着信メッセージ（Ｐａｇｅ（１））が送信されたとしても着信メッセージを受信することができず、５．１２秒後に着信の監視処理を行ったときに基地局からの着信メッセージ（Ｐａｇｅ（２））を受信する。すなわち、ガードタイムを設定しない場合は、電波状態が良好でないとデータ通信のスループットが低下してしまう。
【００４１】
しかし、このガードタイムを用いた再接続の仕組みは１ｘＥＶＤＯシステム単独の無線通信システムでは有効であるが、ｃｄｍａ２０００  １ｘと１ｘＥＶＤＯとのハイブリッド端末では次のような問題が発生する。すなわち、ｃｄｍａ２０００  １ｘシステムにおいて、電波状態が起因するアイドルハンドオフ（待受状態でのハンドオフ）が発生し基地局が切り替わり、前述した監視タイミングが異なると、ｃｄｍａ２０００  １ｘシステムでは監視タイミングの更新を行う。
【００４２】
このとき、無線通信端末はｃｄｍａ２００  １ｘシステムと１ｘＥＶＤＯシステムの監視タイミングが重なることを防ぐために、１ｘＥＶＤＯシステムにおいてもシステム監視タイミングの再調整（Ｒｅｃｏｎｆｉｇｕｒｅ）を行う。無線通信端末は、この再調整を行うため、ｃｄｍａ２０００  １ｘシステムのアイドルハンドオフが終了すると、直ちに１ｘＥＶＤＯシステムに切り替える。１ｘＥＶＤＯシステムでは、再調整を行うため、基地局と通信を開始する。その後、再調整が終了し、基地局との通信を切断するが、前述したガードタイムにより通信切断後もガードタイムの間１ｘＥＶＤＯシステムを解放することができない。そのため、その期間はｃｄｍａ２０００  １ｘシステムに着信があったとしても、アンテナと無線部は１ｘＥＶＤＯ側に切り替えられているため、着信を検出することができない。特に、ｃｄｍａ２０００  １ｘシステムが基地局の境界付近で監視タイミングが変更されるようなアイドルハンドオフを繰り返すような領域にある場合は、ｃｄｍａ２０００  １ｘのアイドルハンドオフ後の１ｘＥＶＤＯシステム側の監視タイミング変更のために、１ｘＥＶＤＯシステムがアンテナ１０及び無線部２０を占有する時間が長くなることから、ｃｄｍａ２０００  １ｘシステムの着信率が極端に低下してしまう。
【００４３】
図４に、ｃｄｍａ２０００  １ｘシステムにおいてアイドルハンドオフが発生した場合の従来のタイムチャートを示す。
【００４４】
ｃｄｍａ２０００  １ｘシステムが基地局の電波状況等によってアイドルハンドオフを検出しアイドルハンドオフ処理を実行する。このとき、ｃｄｍａ２０００  １ｘシステムの着信監視タイミングが変更された場合、ｃｄｍａ２０００  １ｘのアイドルハンドオフ処理が終わると、すぐに１ｘＥＶＤＯシステムをＡｃｔｉｖｅ状態にして基地局と再調整を行う。このとき、この再調整の処理が終了すると、１ｘＥＶＤＯシステムが基地局に対して通信切断メッセージを送信するが、前述したように１ｘＥＶＤＯシステムではガードタイムが設定されているので、ガードタイムが終了するまでは１ｘＥＶＤＯシステムがＡｃｔｉｖｅ状態のまま、待受状態が維持されるので、基地局からｃｄｍａ２０００  １ｘシステムに対して着信メッセージ（Ｐａｇｅ（１））を送信してもｃｄｍａ２０００  １ｘシステム側の着信を検出することができず、１ｘＥＶＤＯがＳｌｅｅｐ状態に移行した後の着信監視タイミングにおいて初めて着信メッセージ（Ｐａｇｅ（２））を検出する。
【００４５】
本発明の実施の形態の無線通信端末では、上記の問題を改善すべく、１ｘＥＶＤＯシステムのガードタイムを、１ｘＥＶＤＯシステムがデータ通信中等に電波の瞬断など不測の通信終了のときには従来と同様にガードタイムを設定し、基地局との通信処理が正常に終了した場合にはガードタイムを設定しないよう構成した。
【００４６】
図５は、本発明の実施の形態の無線通信端末における１ｘＥＶＤＯシステム通信時の処理の流れを示すシーケンスである。
【００４７】
まず、１ｘＥＶＤＯの通信切断が発生したときに（ステップ１０１）、切断の原因が通常の処理であるか否かであるかを判定する（ステップ１０２）。無線通信端末の処理のシーケンスに則ってなされた終了のような通常の処理の終了であった場合には、切断処理終了後すぐにＳｌｅｅｐ状態に移行できるよう、ＳｕｓｐｅｎｄＴｉｍｅ＝０に設定して、ガードタイムを設けないようにする（ステップ１０４）。一方、電波の瞬断等による不測の通信切断のような通常の終了でない場合は、切断処理終了後Ｓｌｅｅｐ状態に移行するように、ＳｕｓｐｅｎｄＴｉｍｅ＝Ｔｓｕｓｐｅｎｄに設定してガードタイムを設けるようにする（ステップ１０３）
次に、基地局に対して通信切断メッセージを送信し通信の切断が発生したことを基地局に対して通知する（ステップ１０５）。
【００４８】
次に、ステップ１０６及び１０７において、ガードタイムの計時処理（カウントダウン）を行う。カウントダウンが終了するとＳｌｅｅｐ状態に移行し（ステップ１０８）処理を終了する。
【００４９】
以上の処理によって、１ｘＥＶＤＯシステムの通信切断の種類によってガードタイムの設定を変更できる。
【００５０】
図６は、ガードタイムを設定しない場合（ＳｕｓｐｅｎｄＴｉｍｅ＝０）において、ｃｄｍａ２０００  １ｘシステムにアイドルハンドオフが発生した場合のタイムチャートである。
【００５１】
ｃｄｍａ２０００  １ｘシステムがアイドルハンドオフ処理を行い、着信監視のタイミングが変更されると、１ｘＥＶＤＯの着信監視タイミングの変更を行うために１ｘＥＶＤＯシステムをＡｃｔｉｖｅ状態に移行し基地局に対して再調整処理を行う。再調整処理が正常に終了して回線が切断されると、図５のステップ１０２において正常のシーケンスに則って通信が終了したと判断されるので、ガードタイムを０に設定するので、再調整処理が終了するとすぐに１ｘＥＶＤＯシステムはＳｌｅｅｐ状態に移行できる。そのため、再調整処理が終了した後、ｃｄｍａ２０００  １ｘシステムの着信監視タイミングにおいて着信メッセージが検出された場合には直ちに通信を行うことができる。
【００５２】
以上のように構成された本発明の実施の形態の無線通信端末では、ｃｄｍａ２０００  １ｘシステムのアイドルハンドオフにより１ｘＥＶＤＯの監視タイミングの変更が必要となり、監視タイミングの再調整を実施したときなど、１ｘＥＶＤＯ基地局との通信処理が正常に終了した場合には、１ｘＥＶＤＯシステムのガードタイムが設定されないので、１ｘＥＶＤＯがシステムを占有する時間が短くなるため、ｃｄｍａ２０００  １ｘシステムにおいて頻繁にアイドルハンドオフが発生するような場合にもｃｄｍａ２０００  １ｘの着信率の低下を改善することができる。
【００５３】
なお、ガードタイムの設定条件として、本実施例では１ｘＥＶＤＯの通信断が電波断かそれ以外（通常のシーケンスによる通信断）かで判断しているが、それ以外の例としては上記着信監視タイミングの再調整終了、ユーザからの終了指示などがあげられる。
【図面の簡単な説明】
【００５４】
【図１】本発明の実施の形態の無線通信端末のブロック図である。
【図２】従来の着信監視タイミングを表したタイムチャートである。
【図３】１ｘＥＶＤＯシステムにおける従来のガードタイムの処理を表したタイムチャートである。
【図４】ｃｄｍａ２０００  １ｘシステムにおいてアイドルハンドオフが発生した場合の従来のタイムチャートである。
【図５】本発明の実施の形態の無線通信端末の処理の流れを表したフローチャートである。
【図６】ｃｄｍａ２０００  １ｘシステムにおいてアイドルハンドオフが発生した場合の本発明の実施の形態のタイムチャートである。
【符号の説明】
【００５５】
１０  アンテナ
２０  無線部（ＲＦ）
３０  切替部
４０  １ｘＥＶＤＯ無線処理部
５０  ｃｄｍａ２０００  １ｘ無線処理部
６０  ハイブリッド部
７０  メモリ
８０  表示部
９０  外部Ｉ／Ｏ
１００Ａ、１００Ｂ  基地局
【図１】
2006320031.tif 000003
【図２】
2006320031.tif 000004
【図３】
2006320031.tif 000005
【図４】
2006320031.tif 000006
【図５】
2006320031.tif 000007
【図６】
2006320031.tif 000008
【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
第１の通信方式と第２の通信方式とを使用して各々の通信方式において基地局と無線通信を行うと共に両方式で待受け可能な無線通信端末において、
前記第１の通信方式が前記基地局との通信を終了してから連続して前記第１の通信方式で前記基地局からの着信を待受ける待機時間を設定する設定手段と、
前記第１の通信方式における前記基地局との通信の終了原因を判別する判別手段と、を備え、
前記設定手段は、前記判別手段が判別した通信の終了の原因が、通常の終了でない場合、前記待機時間を設定することを特徴とする無線通信端末。
【請求項２】
前記通信の終了原因が通常の終了の場合、前記設定手段は前記待機時間を設定しないことを特徴とする請求項１記載の無線通信端末。
【請求項３】
前記第１の通信方式は１ｘＥＶＤＯシステムであり、前記第２の通信方式はｃｄｍａ２０００  １ｘシステムであることを特徴とする請求項１乃至２に記載の無線通信端末。
【請求項４】
第１の通信方式と第２の通信方式とを使用して各々の通信方式において基地局と無線通信を行うと共に両方式で待受け可能な無線通信端末制御方法において、
前記第１の通信方式において前記基地局との通信の終了原因を判別し、該通信の終了の原因が、通常の終了でない場合、前記第１の通信方式が前記基地局との通信を終了してから連続して前記第１の通信方式で前記基地局からの着信を待受ける待機時間を設定することを特徴とする無線通信端末制御方法。
【請求項５】
前記通信の終了原因が通常の終了の場合、前記待機時間を設定しないことを特徴とする請求項３に記載の無線通信端末制御方法。
【請求項６】
前記第１の通信方式は１ｘＥＶＤＯシステムであり、前記第２の通信方式はｃｄｍａ２０００  １ｘシステムであることを特徴とする請求項４乃至５に記載の無線通信端末制御方法。
【手続補正２】
【補正対象書類名】明細書
【補正対象項目名】０００８
【補正方法】変更
【補正の内容】
【０００８】
第１の発明は、第１の通信方式と第２の通信方式とを使用して各々の通信方式において基地局と無線通信を行うと共に両方式で待受け可能な無線通信端末において、前記第１の通信方式が前記基地局との通信を終了してから連続して前記第１の通信方式で前記基地局からの着信を待受ける待機時間を設定する設定手段と、前記第１の通信方式における前記基地局との通信の終了原因を判別する判別手段と、を備え、前記設定手段は、前記判別手段が判別した通信の終了の原因が、通常の終了でない場合、前記待機時間を設定することを特徴とする。
【手続補正３】
【補正対象書類名】明細書
【補正対象項目名】０００９
【補正方法】変更
【補正の内容】
【０００９】
第２の発明は、前記通信の終了原因が通常の終了の場合、前記設定手段は前記待機時間を設定しないことを特徴とする。
【手続補正４】
【補正対象書類名】明細書
【補正対象項目名】００１０
【補正方法】変更
【補正の内容】
【００１０】
第３の発明は、前記第１の通信方式は１ｘＥＶＤＯシステムであり、前記第２の通信方式はｃｄｍａ２０００  １ｘシステムであることを特徴とする。
【手続補正５】
【補正対象書類名】明細書
【補正対象項目名】００１１
【補正方法】変更
【補正の内容】
【００１１】
第４の発明は、第１の通信方式と第２の通信方式とを使用して各々の通信方式において基地局と無線通信を行うと共に両方式で待受け可能な無線通信端末制御方法において、前記第１の通信方式において前記基地局との通信の終了原因を判別し、該通信の終了の原因が、通常の終了でない場合、前記第１の通信方式が前記基地局との通信を終了してから連続して前記第１の通信方式で前記基地局からの着信を待受ける待機時間を設定することを特徴とする。
【手続補正６】
【補正対象書類名】明細書
【補正対象項目名】００１２
【補正方法】変更
【補正の内容】
【００１２】
第５の発明は、前記通信の終了原因が通常の終了の場合、前記待機時間を設定しないことを特徴とする。
【手続補正７】
【補正対象書類名】明細書
【補正対象項目名】００１３
【補正方法】変更
【補正の内容】
【００１３】
第６の発明は、前記第１の通信方式は１ｘＥＶＤＯシステムであり、前記第２の通信方式はｃｄｍａ２０００  １ｘシステムであることを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】